(57)【要約】      （修正有）【課題】良好な放熱効果を具備するヒートシンクを具えた嵌込式ＬＥＤランプを提供する。【解決手段】ヒートシンクを具えた嵌込式ＬＥＤランプは、上表面と下表面と上表面と下表面を連接する側壁とを具えたヒートシンクと、該ヒートシンクの下表面に固定されたＬＥＤ発光モジュールと、第１開口端、第２開口端を具え、第１開口端に固定部が形成され、固定部がヒートシンクの側壁に固定されて第１開口端がヒートシンクの下表面に隣接し、並びに該ＬＥＤ発光モジュールが該スリーブ内に位置するスリーブと、スリーブの第２開口端に設置されてスリーブの第２開口端を封じる透光板と、を包含する。【選択図】図１
0003158326.tif 000002
【実用新案登録請求の範囲】
【請求項１】
上表面と下表面と該上表面と該下表面を連接する側壁とを具えたヒートシンクと、
該ヒートシンクの下表面に固定されたＬＥＤ発光モジュールと、
スリーブであって、第１開口端、第２開口端を具え、該第１開口端に固定部が形成され、該固定部が該ヒートシンクの側壁に固定されて該第１開口端が該ヒートシンクの下表面に隣接し、並びに該ＬＥＤ発光モジュールが該スリーブ内に配置される上記スリーブと、  該スリーブの第２開口端に設置されて該スリーブの第２開口端を封じる透光板と、を包含することを特徴とする、ヒートシンクを具えた嵌込式ＬＥＤランプ。
【請求項２】
請求項１記載のヒートシンクを具えた嵌込式ＬＥＤランプにおいて、該ヒートシンクの中央に円柱体があり、該円柱体より外向きに複数の放熱片が延伸されていることを特徴とする、ヒートシンクを具えた嵌込式ＬＥＤランプ。
【請求項３】
請求項１記載のヒートシンクを具えた嵌込式ＬＥＤランプにおいて、該スリーブの固定部は少なくとも一つの固定部品で該ヒートシンクの側壁に固定されることを特徴とする、ヒートシンクを具えた嵌込式ＬＥＤランプ。
【請求項４】
請求項３記載のヒートシンクを具えた嵌込式ＬＥＤランプにおいて、該スリーブの固定部は該第１開口端より該ヒートシンクの方向に延伸された二つの固定柱であることを特徴とする、ヒートシンクを具えた嵌込式ＬＥＤランプ。
【請求項５】
請求項４記載のヒートシンクを具えた嵌込式ＬＥＤランプにおいて、該二つの固定柱にそれぞれ少なくとも一つの第１固定孔が形成され、該ヒートシンクの側壁のこれら固定柱の第１固定孔に対応する位置に少なくとも一つの第３固定孔が形成され、該固定部品が該第１固定孔と該第３固定孔に通されることで、これら固定柱が該ヒートシンクの側壁に固定されることを特徴とする、ヒートシンクを具えた嵌込式ＬＥＤランプ。
【請求項６】
請求項１記載のヒートシンクを具えた嵌込式ＬＥＤランプにおいて、該ＬＥＤ発光モジュールが回路板と該回路板に形成された一つ以上のＬＥＤを包含し、該回路板は該ヒートシンクの表面に固定されたことを特徴とする、ヒートシンクを具えた嵌込式ＬＥＤランプ。
【考案の詳細な説明】
【技術分野】
【０００１】
本考案は一種のヒートシンクを具えた嵌込式ＬＥＤランプに係り、特に熱エネルギーを有効にスピーディーに排出し、使用寿命を延長し照明輝度をアップできる嵌込式ＬＥＤランプに関する。
【背景技術】
【０００２】
日常生活において、照明設備は不可欠の生活用品であり、人々の生活方式を変えてきた。現在、一般家庭或いは公共の屋内場所において、各種の照明設備、例えば、蛍光灯、照明灯、テーブルランプ、ペンダントライト、ネオンランプ等が使用されており、暗さのもたらす不便を照明設備により改善している。
【０００３】
異なる照明設備に関しては、その応用の用途に差異があり、例えば、一般の蛍光灯、照明灯、テーブルランプ等は、一般照明として使用され、また、特殊な用途の照明設備例えばナイトランプは人々が睡眠時に照明を提供し、その発光効率は比較的低く、補助用途のみである。
【０００４】
伝統的な灯管或いは電球は温度上昇が速く消費電力が大きいという欠点を有し、且つ照明器具を廃棄後に環境保護の問題をもたらし、このため、近年、ＬＥＤを発光源とする技術が発展した。
【０００５】
ＬＥＤは消費電力が低く、寿命が長く、ランプのウォームアップ時間が必要なく反応速度が速いという長所を有するものの、一般にＬＥＤはその輝度が伝統的なバルブ或いは灯管よりも低く、このため照明光源としてはハイパワーのＬＥＤが採用される。ハイパワーのＬＥＤはより高い輝度を提供できるが、続けて使用すると温度上昇により発光の効率に影響が生じる。このため如何にＬＥＤ照明に良好な照明効果を具備させ、効率的にその放熱効果をアップするかが、業界の技術開発の重要な課題となっている。
【考案の概要】
【考案が解決しようとする課題】
【０００６】
本考案の主要な目的は、ヒートシンクを具えた嵌込式ＬＥＤランプを提供することにあり、それは良好な放熱効果を具備することにより、使用寿命を延長し、その光減衰を減らし、照明輝度をアップする目的を達成するものとする。
【課題を解決するための手段】
【０００７】
上述の効果及び目的を達成するため、本考案の技術特徴は、本ヒートシンクを具えた嵌込式ＬＥＤランプは、上表面と下表面と該上表面と該下表面を連接する側壁とを具えたヒートシンクと、該ヒートシンクの下表面に固定されたＬＥＤ発光モジュールと、スリーブであって、第１開口端、第２開口端を具え、該第１開口端に固定部が形成され、該固定部が該ヒートシンクの側壁に固定されて該第１開口端が該ヒートシンクの下表面に隣接し、並びに該ＬＥＤ発光モジュールが該スリーブ内に位置する上記スリーブと、該スリーブの第２開口端に設置されて該スリーブの第２開口端を封じる透光板と、を包含することにある。
【考案の効果】
【０００８】
本考案は、ヒートシンクを具えた嵌込式ＬＥＤランプを提供し、それは良好な放熱効果を具備することにより、使用寿命を延長し、その光減衰を減らし、照明輝度をアップする目的を達成する。
本考案のその他の目的、長所及び特色は、以下の好ましい実施例により詳細に説明され並びに図面が参照されることでさらに深い理解が得られるようにする。
【図面の簡単な説明】
【０００９】
【図１】本考案の立体分解図である。
【図２】図１の組み合わせ後の断面図である。
【考案を実施するための形態】
【００１０】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１１】
図１を参照されたい。これは本考案のヒートシンクを具えた嵌込式ＬＥＤランプの立体分解図であり、それは、ヒートシンク１０、ＬＥＤ発光モジュール２０、スリーブ３０、透光板４０を包含する。
【００１２】
そのうち、ヒートシンク１０は一体プレス加工により形成され、上表面１１と下表面１２及び該上表面１１と下表面１２を連接する側壁１３を包含し、且つヒートシンク１０は中央に円柱体１４を具え、該円柱体１４より外向きに複数の放熱板１５が延伸され、側壁１３に二つの第１固定孔１６が形成され、下表面１２に四つの第２固定孔１７が形成されている。
【００１３】
該ＬＥＤ発光モジュール２０は回路板２１と該回路板２１に設けられた複数のＬＥＤ２２を有し、該回路板２１の、ヒートシンク１０の四つの第２固定孔１７に対応する位置にそれぞれ第３固定孔２３が形成され、回路板２１は四つのネジ部品５０により直接ヒートシンク１０の下表面１２に固定される。
【００１４】
スリーブ３０は第１開口端３１、第２開口端３２を具え、第１開口端３１に固定部３３が形成されている。本実施例では固定部３３は第１開口端３１よりヒートシンク１０の方向に延伸形成された二つの固定柱３４からなり、且つ固定柱３４の該ヒートシンク１０の二つの第１固定孔１６に対応する位置にそれぞれ第４固定孔３５が形成されている。固定柱３４はヒートシンク１０の側壁外に設けられ、固定部品６０が第１固定孔１６と第４固定孔３５に通されることで、固定柱３４がヒートシンク１０の側壁１３に固定され、これにより、スリーブ３０の第１開口端３１がヒートシンク１０の下表面１２に隣接し、並びにＬＥＤ発光モジュール２０がスリーブ３０内に配置される。このほか、スリーブ３０の第２開口端３２に外向きにフランジ３６が形成され、且つフランジ３６の第１開口端３１に対応する位置に内凹溝３７が形成されている。
【００１５】
透光板４０はスリーブ３０の第２開口端３２部分の、フランジ３６の内凹溝３７中に設置されて、スリーブ３０の第２開口端３２を封じる。
【００１６】
注意すべきことは、本考案はさらに装飾板７０を包含し得ることである。該装飾板７０の中央には貫通孔７１が形成され、スリーブ３０の第２開口端３２に固定されて、該透光板４０を固定し、並びにＬＥＤ発光モジュール２０の釈放する光線を該透光板４０を通して該貫通孔７１より外に射出させ、こうして、照明の効果を達成する。
【００１７】
図２は本考案のヒートシンクを具えた嵌込式ＬＥＤランプの組み合わせ断面図である。組立時には、まずネジ部品５０を回路板２１の第３固定孔２３とヒートシンク１０の第２固定孔１７内に挿入し、ＬＥＤ発光モジュール２０をヒートシンク１０の下表面１２に固定する。さらに、固定部品６０をスリーブ３０の第４固定孔３５とヒートシンク１０の側壁１３にとおし、スリーブ３０の第１開口端３１をヒートシンク１０の下表面１２に隣接させ、並びに該ＬＥＤ発光モジュール２０をスリーブ３０内に配置する。最後に、透光板４０をスリーブ３０の第２開口端３２部分のフランジ３６の内凹溝３７中に設置し、並びに装飾板７０をスリーブ３０の第２開口端３２部分に設置し、透光板４０をスリーブ３０のフランジ３６と装飾板７０の間に固定し、ＬＥＤ発光モジュール２０の釈放する光線を透光板４０をとおし装飾板７０の貫通孔７１より外部に射出させ、これにより照明の効果を達成する。
【００１８】
上述の組み合わせにより、スリーブ３０が直接ヒートシンク１０に固定され、且つＬＥＤ発光モジュールは直接ヒートシンク１０の下表面１２に固定され、その組立上、相当に便利であり、且つ有効に放熱の効果を達成でき、製品の使用寿命を延長し、光減衰の状況を減らすことができる。
【００１９】
本考案の開示する実施方式は上述のとおりであるが、記載された内容は直接本考案の権利請求範囲を限定するためのものではない。本考案の属する技術領域中における通常の知識を有する者であれば、本考案に記載の精神と範囲より離脱しない前提の下で実施の形式上及び細部上、幾ばくかの変更を行うことができる。本考案の権利請求範囲は実用新案登録請求の範囲による規定に準じる。
【符号の説明】
【００２０】
１０  ヒートシンク              ３１  第１開口端
１１  上表面                    ３２  第２開口端
１２  下表面                    ３３  固定部
１３  側壁                      ３４  固定柱
１４  円柱体                    ３５  第４固定孔
１５  放熱片                    ３６  フランジ
１６  第１固定孔                ３７  内凹溝
１７  第２固定孔                ４０  透光板
２０  ＬＥＤ発光モジュール      ５０  ネジ部品
２１  回路板                    ６０  固定部品
２２  ＬＥＤ                    ７０  装飾板
２３  第３固定孔                ７１  貫通孔
３０  スリーブ
【図１】
0003158326.tif 000003
【図２】
0003158326.tif 000004